Podtech/llm-jp-corpus-v4-ja_patent huggingface dataset:
(57)【要約】【課題】ＬＨＣワームホールタイムマシンとなる縮小型を提供する。【解決手段】ＬＨＣを脳しわ、大腸、渦巻き型に縮小して技術的に狭い土地で低コストで未来強エネルギー過去弱エネルギーワームホールタイムマシン製造を実現する。【選択図】なし【特許請求の範囲】
【請求項１】
（イ）ＬＨＣで光に限りなく近い速さまで加速した陽子と陽子を正面衝突させる。
（ロ）すると膨大な量のエネルギーが発生してブラックホールが出来るからワームホールも出来る。
（ハ）このエネルギーが弱いとワームホールは過去へ開く、強いと未来へ開く。
（二）このＬＨＣは超巨大なので脳しわ、大腸、渦巻き型に改良して縮小型とする。
（ホ）この改良によって未来過去へのワームホールタイムマシンが狭い所でもコストを下げて量産出来る。
以上の如くから成る脳しわ大腸渦巻き型縮小ＬＨＣ弱過去強未来ワームホールタイムマシン。
【発明の詳細な説明】
【技術分野】
【０００１】  本発明は、完成した脳しわ大腸渦巻き型縮小ＬＨＣ弱過去強未来ワームホールタイムマシンに関する。
【背景技術】
【０００２】  従来、ＬＨＣ利用ワームホールタイムマシンは超巨大で大きな土地、高コストだった。（例えば非特許文献２参照。）。【０００３】
【非特許文献１】「タイムマシンがみるみるわかる本愛蔵版」、２００８年６月９日、佐藤勝彦、ＰＨＰ研究所、８頁から１１頁
【非特許文献２】「日経サイエンス」、２００９年３月号、日経サイエンス社、９２頁から１０７頁、
【発明の開示】
【発明が解決しようとする課題】
【０００４】  従来、ＬＨＣ利用ワームホールタイムマシンは超巨大で大きな土地、高コストだった。
【課題を解決するための手段】
【０００５】  ＬＨＣを脳しわ大腸渦巻き型に縮小して狭い土地で低コストにする。
【発明の効果】
【０００６】  技術的に狭い土地で低コストでタイムマシン製造が可能となる。
【発明を実施するための最良の形態】
【０００７】    ＬＨＣで光に限りなく近い速さまで加速した陽子と陽子を正面衝突させる。すると膨大な量のエネルギーが発生してブラックホールが出来るからワームホールも出来る。このエネルギーが弱いとワームホールは過去へ開く、強いと未来へ開く。このＬＨＣは超巨大なので脳しわ、大腸、渦巻き型に改良して縮小型とする。この改良によって未来過去へのワームホールタイムマシンが狭い土地で低コストで量産出来る。以上の如くから成る脳しわ大腸渦巻き型縮小ＬＨＣ弱過去強未来ワームホールタイムマシン。
【実施例】
【０００８】    上記の如く実施される。
【産業上の利用可能性】
【０００９】    この改良版は技術的に可能なレベルで当業者の製造も可能と解されＬＨＣは既成のもので設計の縮小化をはかるのみである。
(57)【要約】 【課題】従来の植物性チーズ様食品は、乳酸菌や納豆菌を使用したものであり、酸味の調整やナットウ臭の消去が出来ない、などの欠点があり、風味の改良のために、乳製品のクリームやチーズの混合が主流となり植物性の原料または植物性の油脂を使用している、というにとどまる製品ばかりであった。【解決手段】チーズ臭の一成分である酪酸を生産する酪酸菌を発酵に利用すること、さらに、長時間醗酵によって完全にカードを生成させることによって、レンネットなどの凝固剤を使用することなく、固形部と液体部を、ガーゼ等を用いてろ過し、たんぱく質を中心とした固形物を得る事ができ、風味的にも遜色なく、乳製品アレルギーの人や、肥満体の人、ダイエットを目指している人々に、食品添加物、着香料など一才含まぬ、純粋の植物性チーズ様食品を供給することが出来る。【選択図】なし【特許請求の範囲】
【請求項１】
豆乳を使用し酪酸菌を用いて発酵させ、生成したカードをそのまま、若しくは加熱殺菌後、固液分離を行い、固形分を所定の水分まで脱水して得られる固形状またはクリーム状のチーズ様の食品の製造法。
【請求項２】
野菜のピューレ、果実、果汁を混合した、請求項１記載のチーズ様の食品の製造法   
【請求項３】
種実類（ピーナツ、カシュウナッツ、アーモンド、ゴマなど）の乳液を混合して得る請求項１記載のチーズ様の食品の製造法
【発明の詳細な説明】
【技術分野】
【０００１】
本発明は、乳製品アレルギーの人や、肥満体の人の健康に寄与することを目的とした、チーズ様食品に関するものである。          
【背景技術】
【０００２】
従来の植物性チーズ様製品には乳酸菌を使用して製造したものがある（例えば特許文献１参照。）。
【０００３】
又、納豆菌または納豆を用いて製造したものがある（例えば特許文献２参照。）。
【０００４】
又、風味向上のため、豆乳製品に、乳製品のチーズを混合して製造するなどがなされている（例えば特許文献３参照。）。
【０００５】
なかには乳製品と添加物と増粘ゲル化剤と植物油を使用して固めたものが植物性チーズとして出回っているのが現状であると推察される。
【特許文献１】特開平０７−２３６４１７号    公報
【特許文献２】特開２００１−０００１０４号  公報
【特許文献３】特開２００１−２７５６００号  公報
【発明の開示】
【発明が解決しようとする課題】
【０００６】
これら従来のもので、乳酸菌を用いたものは熟成期間中に乳酸の蓄積により酸味の利いた製品になりがちであり、納豆菌を用いたものは、如何しても、ナットウ臭を感じる製品となり、嗜好性の面から問題があった。
【０００７】
又、乳製品やチーズを混合したものは、植物性チーズとは言いがたい。
【０００８】
本発明は、このような従来の植物性チーズと称するものの問題点を解決しようとするものであり、完全に植物性の原料のみを用いて純植物性のチーズ様の製品を製造することを目的としたものである。
【課題を解決するための手段】
【０００９】
本発明は乳製品のチーズの風味成分の一部が、酪酸よりなることに注目し、酪酸を生産する酪酸菌を使用して醗酵させることを選択することにより、酸味の調整や、ナットウ臭の発生などを防ぎ、チーズらしさを発現できることを見出した。
【００１０】
本発明は、大豆を水に浸漬後、粉砕して得られる豆乳を酪酸菌によって醗酵させ、カードをそのまま、若しくは加熱殺菌して固形分と液部を分離し、固形分を所定の水分まで脱水して、固形部を微粉砕し、プレーンタイプのクリーム状に、さらに加圧脱水して、固形状の植物性チーズ様食品を製造し、希望に応じて塩や香辛料にて調味して製品とするものである。
【００１１】
また、この豆乳に野菜などの果汁を加えて酪酸菌を使用して醗酵させることも可能であり、カシュウナッツやゴマなどの種実類を使用することも出来る。
【００１２】
しかし、原則として食品添加物は一切使用せず、塩以外は植物性のものだけを使用することによって、純植物性と称するにふさわしい製品とすることが出来る。
【発明の効果】
【００１３】
乳製品アレルギーの人は年々増加傾向にあり、この人たちにとっての嗜好の制限は、人には理解できないほどの辛さを秘めているものであり、大豆もアレルゲンとして指定はされているが、この患者は限られており、乳製品アレルギーほど深刻ではない。
【００１４】
これらアレルギーの患者にとって、安心して食することの出来る、チーズケーキやピザなどの提供により、食の楽しみを与えることが出来る。
【００１５】
又、メタポリック症候群の人が問題視されており、これらの人は脂肪分のとりすぎが原因の一つとされており、豆乳から作った、植物性チーズ様食品に置き換えることにより、脂肪の摂取量を減ずる事が出来るので、病気予防にも貢献するものと思われ、ダイエットを目指す女性層にも受け入れられるであろう。
【発明を実施するための最良の形態】
【００１６】
本発明は、様々な製品を生み出だすことが出来るが、クリーム状のものを最良の形態と思考する。なぜならば、このクリーム状の製品は、野菜と組み合わせたチーズケーキなどに使用することが可能であり、ピザなどにも使用できる。
【００１７】
固形状に加工したものは、おつまみとしての利用があり、本来の乳製品チーズに代替できるので、ダイエットなどを考える人々に貢献する形態であろう。
【実施例】
【００１８】
豆乳１リッターに酪酸菌ＡＢＰ末１ｇを加えよく混合した後、３８度にて２４時間醗酵させ、出来たカードに水１リッターを加えて加熱し、９５度５分間保持後ガーゼで固体と液体部を分離し、固体部をミキサーにて粉砕し、４００ｇのクリーム状の製品を得た。
【００１９】
この製品に塩とペッパーを加えてよく混ぜ合わせ、２ｋｇの荷重をかけて脱水し２００ｇの固形状のブロックを得、冷蔵庫にて３ヶ月熟成させたものは、大豆臭も消失し、完全にチーズの質感と程よい風味を持つものが得られた。
【００２０】
豆乳８００ｇに野菜ジュース２００ｇを混ぜ合わせ、酪酸菌を加えて、よく混合した後、前記と同様にして醗酵させ、４００ｇのクリーム状の製品を得、野菜の風味と色合いがクリーム状の製品に移行して完成品となったが、後から野菜ジュースを加えたものは、製品になりえず、色合いも移行させることは出来なかった。
【００２１】
ピーナツとアーモンドを水に浸漬した後、粉砕し乳液を得、この単独、及び豆乳と混合したものを前記と同様にして醗酵させ、同じく製品にすることが出来たが、しかし製品の収量が落ちること、製造コストが上がることから普及型には出来ないと推定された。
【産業上の利用可能性】
【００２２】
本発明によるクリーム状の製品をシェフに依頼して６種類の純植物性の構成にてチーズケーキを試作して頂いたところ、真に美味しいチーズケーキが完成し、洋菓子の原料としての需要も開拓できることを実証し、このことより、乳製品アレルギーの人たちにケーキを食することの楽しみを与え得る製品である。
【００２３】
豆乳に含まれる脂肪分はたんぱく質の約６割弱であり、脂肪分の非常に少ない製品とすることが出来るので、動物性油脂を多く含む乳製品のチーズに代替させることによってダイエット効果を発揮することが可能であり、主婦層のダイエット食材として活用の道があるといえる。
(57)【要約】【課題】  以上に述べた従来の充電器では、充電させる充電口の種類の数が増えれば増えるほどケーブルの本数を増やしたり、コネクタを増やしたりしなければならなかった。その為、複数の機器に充電できる汎用性を持たせると、ケーブルに費用がかかったり、またはつけかえ式の充電器では、バラバラになった部品やコネクタを紛失することがあった。【解決手段】  Ａの形状をしたコネクタとＢの形状をしたコネクタを持たせた充電用ケーブルと、前述のコネクタを差し込む部分を２箇所以上持ち合わせた充電器本体とを組み合わせ、最小限の材料とケーブルで、効果的に複数の機器に充電をすることが実現できるようになった。【選択図】図１
2009171822.tif 000002
【特許請求の範囲】
【請求項１】
移動用通信機器用電力供給口の１つ（仮にＡとする）を配する充電器本体と、前述の充電器本体に、移動用通信機器用電力供給口のもう１つ（仮にＢとする）を配する充電器本体と、前記充電器本体から外部に、充電用ケーブルを接続することによって、移動用通信機器に充電できるようにした構造を持つ、携帯電話等移動通信機器用汎用充電器であって、接続用のケーブルは、ＡとＢとで両端を成し、Ａを充電器本体Ａの口に差込した場合には、Ｂの充電口への機器に充電でき、Ｂを充電器本体Ｂの口に差込した場合には、Ａの充電口への機器に充電できる構造を持つ、携帯電話等移動通信機器用汎用充電器。
【請求項２】
請求項１に接続可能な、ＡとＢの両端を持つ充電用ケーブル。
【請求項３】
請求項１と請求項２に記載した充電器およびケーブルを応用し、３種以上のコネクタに効果的に充電ができる移動通信機器用汎用充電器およびケーブルまたはコネクタ。
【発明の詳細な説明】
【技術分野】
【０００１】  本発明は、移動通信機器用汎用充電器に関する。
【背景技術】
【０００２】  従来の移動通信機器用汎用充電器は、日本における携帯電話各社のコネクタがＰＤＣ、ＣＤＭＡ、ＦＯＭＡの３種が利用されていること、かつ、スマートフォン・ポータブルゲーム機、ＰＨＳは、ＵＳＢｍｉｎｉＢやピンプラグの形状のコネクタが多く利用されていることから、複数の機器に一台で充電できるよう汎用性を持たせようとすると、特許文献１や２に示されるように、数本のケーブルにそれぞれのコネクタをつける形式、特許文献３に示されるように充電用コネクタだけをつけかえたりする形式、非特許文献１に示されるように、二又のケーブルを利用する形式などが主流であった。
【特許文献１】  特開２００７−２８０９２１
【特許文献２】  特開２００６−０３４０８３
【特許文献３】  特開２００６−８７１５１
【非特許文献１】  株式会社エス・アンド・ケイ「新商品のご案内」２００６年６月発行
【発明の開示】
【発明が解決しようとする課題】
【０００３】  以上に述べた従来の充電器では、充電させる充電口の種類の数が増えれば増えるほどケーブルの本数を増やしたり、付け替え用コネクタを増やしたりしなければならなかった。構造上、複数の機器に充電できる汎用性を持たせる為には、ケーブルに費用がかかり美的外観が損なわれ、付け替え式の充電器では、バラバラになった部品やコネクタを紛失することがあった。【０００４】  本発明は、このような従来の構成が有していた問題を解決しようとするものであり、最小限の資源とケーブルで、効果的に複数の機器に充電を実現することを目的とするものである。
【課題を解決するための手段】
【０００５】  そして、本発明は上記目的を達成する為に、Ａの形状をしたコネクタとＢの形状をしたコネクタを両端に持たせた充電用ケーブルと、前述のコネクタを差し込む部分をそれぞれ１箇所以上持ち合わせた充電器本体とを組み合わせ、ＡやＢの充電用コネクタを持つ機器両方に充電できるようにしたものである。また、これを応用し３種以上のコネクタを効果的に充電させることも可能である。例えば、三又のケーブルにＡとＢとＣのコネクタを持たせたものである。【０００６】  上記の課題解決手段による作用は次の通りである。すなわち、充電用ケーブルに２種以上のコネクタを配し、用途によって充電器本体に差し込んだり、移動通信機器に差し込んだりすることで、より少ない物品で複数の機器に充電できる効果があるものである。
【発明の効果】
【０００７】  本発明により、例えるならば、ギリシャ神話に出てくる「メデューサ」の頭のような形状の充電用ケーブルが何本も飛び出てい美観やコストの上で劣る従来の充電器より、より美的感覚に優れた充電器が作成でき、かつ必要最小限の資源やケーブルで最大の効果を得る、環境破壊問題対策に優れた充電器を作成することが可能になった。【０００８】  また、従来の充電器付け替え用の充電コネクタに起きる問題点の一つである、コネクタの頭だけなくしてしまう心配もなくなった。
【発明を実施するための最良の形態】
【０００９】  ２種のコネクタのオスを両端に持たせたケーブルと、前述のコネクタのメスを充電器本体に両方配し、一方を差し込むことで、他方のコネクタを充電用に充てる。図１に示す充電器本体Ａの部分をコネクタａと接合させ、コネクタｂを電話機のＢのコネクタに接合させ、電源を入れることで、充電器本体から通電され電話機が充電される仕組みである。
【産業上の利用可能性】
【００１０】    上述したように本発明の移動用通信機器用汎用充電器は、従来の充電器より充電用ケーブルの本数を減らすことができ、環境破壊問題対策に優れた充電器を提供できる。
また、コネクタを付け替える必要がないことから、消費者の不便を解消する効果を発揮する。またコネクタの紛失も防げる。
【図面の簡単な説明】
【００１２】
【図１】  ＡＣ充電器とＤＣ充電器と電池式充電器の例を示す。また、ケーブルもストレートケーブルとリール式ケーブルの例を示した。電話機は、ピンプラグ型充電口を持つものを例としてあげている。
【符号の説明】
Ａ：ＵＳＢｍｉｎｉＢメス
Ｂ：ピンプラグメス
ａ：ＵＳＢｍｉｎｉＢオス
ｂ：ピンプラグオス
Ｃ：電源
【図１】
2009171822.tif 000003
(57)【要約】      （修正有）【課題】お湯を注いで混ぜるだけで作りたてのじんだんの風味が味わえる乾燥青豆粉末の提供。【解決手段】乾燥青豆を洗浄し、これを約０.８％（±０.２％）の食塩水に浸漬して青豆に塩分を吸収させる浸漬工程と、浸漬工程を経て膨張した青豆を約９０℃のお湯に入れて雑味を取除き取り出す湯通し工程と、この湯通し工程を経た青豆全量に対し約１％（±０.２％）の食塩を投入し良くかき混ぜる揉み工程と、揉み工程を経た青豆を約４９度（±３度）の低温乾燥にて湿度約３％（±２％）になるようにする一次乾燥工程と、一次乾燥工程を経た青豆を更に乾燥させる二次乾燥工程とよりなる青豆の乾燥方法と、上記方法で得た青豆を粉砕し乾燥青豆粉末とする。この粉砕青豆に甘味料を合わせて青豆餡とする。【選択図】なし【特許請求の範囲】
【請求項１】
洗浄した乾燥青豆を約０.８％(±０.２％)の食塩水に浸漬して青豆に塩分を吸収させる浸漬工程と、浸漬工程を経て膨張した青豆を約９０度のお湯に入れて雑味を取除き取り出す湯通し工程と、この湯通し工程を経た青豆全量に対し約１％(±０.２％)の食塩を投入し良くかき混ぜる揉み工程と、揉み工程を経た青豆を約４９度（±３度)の低温乾燥にて湿度約３％(±２％)になるようにする一次乾燥工程と、一次乾燥工程を経た青豆を更に乾燥させる二次乾燥工程とよりなる青豆の乾燥方法。
【請求項２】
請求項１により得た青豆を粉砕し、この粉砕青豆に甘味料を合わせてなる青豆餡材料。
【発明の詳細な説明】
【技術分野】
【０００１】
本発明は青豆の乾燥方法及び青豆餡材料に関するものである。
【０００２】
主に東北地方では青豆をすりつぶし砂糖などを加えたものを「じんだん」「ずんだ」等と呼ばれ、これを材料とした菓子類が多く製造販売されているが、本発明はこれらのじんだんの餡の製造などに使用する青豆の乾燥方法及び青豆餡材料に関するものである。
【０００３】
一般的に青豆や大豆を焙煎加工してきな粉としての製品は数多くありますが、直火焙煎の為に香ばしさのみで豆本来の甘みや旨みに欠ける。
【発明の開示】
【発明が解決しようとする課題】
【０００４】
そこで本発明は、お湯を注いで混ぜるだけで作りたてのじんだんの風味が味わえる画期的な商品を提供しようとするものである。
【課題を解決するための手段】
【０００５】
乾燥青豆を洗浄し、これを約０.８％(±０.２％)の食塩水に浸漬して青豆に塩分を吸収させる浸漬工程と、浸漬工程を経て膨張した青豆を約９０度のお湯に入れて雑味を取除き取り出す湯通し工程と、この湯通し工程を経た青豆全量に対し約１％(±０.２％)の食塩を投入し良くかき混ぜる揉み工程と、揉み工程を経た青豆を約４９度（±３度)の低温乾燥にて湿度約３％(±２％)になるようにする一次乾燥工程と、一次乾燥工程を経た青豆を更に乾燥させる二次乾燥工程とよりなる青豆の乾燥方法と、この乾燥方法で得た青豆の粉砕し、この粉砕青豆に砂糖などの甘味料を合わせた青豆餡材料である。
【発明の効果】
【０００６】
これを約０.８％(±０.２％)の食塩水に浸漬して青豆に塩分を吸収させる浸漬工程を経ることにより、後工程の一次乾燥工程において青豆の内部から甘み、旨み成分が引き出されるようになり、湯通し工程では大豆本来の旨みが引き出され、
揉み工程を経た青豆を約４９度（±３度)の低温乾燥にて湿度約３％(±２％)になるようにする一次乾燥工程を経るが、この低温乾燥の設定温度を低く設定することで商品の旨みを（酵素類）を破壊せず、餡としての使用時には出来るだけ生に近い風味が残され食味に優れたものとなる。
【０００７】
又砂糖等の甘味料を加えておくことにより、お湯を注いで混ぜるだけで作りたてのじんだんの風味が味わえ簡単にずんだ餡ができる。
【実施例】
【０００８】
先ず原料となる青豆を洗浄する。その後に青豆を加工時の前日に冷水に浸漬（水に漬けておく）するが、その時に水量の０.８％の食塩を大豆に吸わせて一晩約１５時間浸漬する(浸漬工程)。食塩の量は水量の０.８％（±０．２％）が好ましい。食塩がこれらの数値より多すぎると塩分が残り、少なすぎると青豆の内部から甘みを引き出すことができなくなる恐れがある。また、食塩投入量が多すぎても塩水を吸った大豆は水よりも体積（比重）が軽くなり、浸漬時の青豆が水面に浮いて、尚且つ青豆自体のもどりも悪くなり、そのようになった青豆は湯通し後のうまみが落ち多少の雑味が感じられるようになる。
【０００９】
約２倍に膨れた青豆を９０度のお湯に約３６０秒入れる湯通し工程を経て雑味を取り除き、青豆本来の旨みを引き出す。お湯の温度、湯通し工程時間は、外気温や湯温度と時間の相対関係において決める。その後取り出し、あら熱を取る（送風機使用）。このとき青豆全体量の１％の食塩を投入しながら良く揉んでおく。
【００１０】
上記湯通し工程を経た青豆は、乾燥のトレーへ移し乾燥機へ入れる、乾燥機の温度は低温４９度に設定し温風乾燥して、品物の湿度３％で仕上げます。原料を乾燥機へ入れて１７時間投入して一次乾燥をする。この時の乾燥機の温度は低温４９度とするが、乾燥機の設定温度を低く設定する事で商品の旨みを（酵素類）を破壊せず、使用時は出来るだけ生に近い風味を残すことができる用になる。低温の限界値は４９度の±３度が望ましい。この青豆の乾燥は大豆の酵素を痛めない様に４０分の温風乾燥、その後５分の休止（このときに内部の水分を引き出す）の繰り返しで行うことにより、うまみを残したままで水分のみを引き出し、はるかに風味の残ることが分かった。これ以外の低温乾燥方法でも良い。
【００１１】
上記一次乾燥工程を経た青豆を、再度５時間の二次乾燥を施し青豆を元の乾燥状態にする。二次乾燥工程での乾燥機に入る容量は２００kで青豆乾燥状態での出来高は７４kgになり、歩留まりで３７％であった。
【００１２】
二次乾燥工程を経た青豆を粉末にする前処理としてフードカッターにかけて粗挽きにし、その後に粉砕機で大粒に粉砕する（８mmプレート使用。）。その他の方法でも良い。この粉砕された青豆は砂糖等の甘味料と混ぜ、お湯を注ぎ練るだけで青豆餡(じんだん餡)として使用できる。本発明では繋ぎを一切使用せず青豆独自の粉砕粉で繋ぎの役割を果たすものである。
従来のあんこ類はミキサーやすり鉢で青豆を処理後に片栗粉や米粉を入れて粘りを加えるが、青豆本来の旨み成分が損なわれる恐れがある。
【００１３】
上記粉砕された青豆は、砂糖(その他の甘味料でも良い。)と混ぜ合わせておけば、お湯を注ぐだけでじんだん餡ができる。
(57)【要約】【課題】本発明は、ルアー釣りに於ける、ルアーの暴れによる衝撃振動を、バネの性質を応用して解消する工夫技術を提供する。【解決手段】天秤軸（１）に、ルアー掛止具（２）を挿入し、該掛止具を挟んで、該軸両端よりビーズ（３）を挿入して設け、つぎにＳＵＳクッションバネ（４）を固定した、バネストッパー（５）を、該軸両端より挿入して、該軸に固定して装着する。【選択図】図１
2009171937.tif 000002
【特許請求の範囲】
【請求項１】
天秤軸（１）に、ルアー掛止具（２）を挿入し、該掛止具を挟んで、該軸両端よりビーズ（３）を挿入して設け、つぎにＳＵＳクッションバネ（４）を固定した、バネストッパー（５）を、該軸両端より挿入して、該軸に固定して装着したことを特徴とする、釣ルアー用振動吸収天秤。
【発明の詳細な説明】
【技術分野】
【０００１】  本発明は、ルアー（６）を使用した釣りに於いて、天秤に取り付けたルアーの暴れによる振動等の負荷を吸収する、工夫技術に関するものである。
【背景技術】
【０００２】  近年、疑似餌等のルアー（６）を利用しての釣りが、人気化しつつあるが、大きな獲物を狙うとなると、ルアー（６）も大きくなる。また、ルアー（６）も元気に動いてはほしいが、その暴れ方が激しくなれば天秤軸（１）にも、当然大きな振動現象が懸かり、その振動負荷は釣竿にも伝達し、釣り感も鈍る事になる。最近では、実用新案登録第３０７３５３７号のごとく、わざわざルアーを不規則に、より暴れるように求めたものが主流であり、それによつて起こる振動対策等の事は考慮されていないのが現状である。
【発明の開示】
【発明が解決しようとする課題】
【０００３】  しかし、大物をゲットするにはルアー（６）も大きくなり、ルアー（６）より発生する振動も大きくなり、これを最小限に押さえる必要が生じる。だが、この対策は、公開公報やその他多くの開示の中では、一件も見ることが出来ないのである。
本発明は、この問題点をより簡単且つ効率的に解決するためになされたものである。
【課題を解決するための手段】
【０００４】  ルアー釣り用の天秤の天秤軸（１）にルアー掛止具（２）を挿入して、この掛止具を挟んで、該軸両端よりビーズ（３）を挿入して設ける。この状態は、ルアー掛止具（２）が上下に動くと共に、ビーズ（３）も上下に天秤軸（１）を動く構成に設けられている。つぎにＳＵＳクッションバネ（４）を固定して設けた、バネストッパー（５）を、該軸両端より挿入して、  該軸に片端のみ固定して装着する。
本発明は以上のような構成による、釣ルアー用振動吸収天秤である。
【発明の効果】
【０００５】  釣りに於いて、ルアーを上下に動かす時に、天秤のクッションバネが働き、振動等を大幅に吸収するので、ルアーの動きが滑らかになった。また釣竿への振動もなくなり釣り条件が大幅に向上した。
【発明を実施するための最良の形態】
【０００６】  ルアーを用いた釣りに於いて、ルアー（６）が適度に暴れて動いてくれないと、魚は寄って来ない。しかしながら小さいルアーならば気にならないが、大きな獲物用ともなればルアー（６）も大きなものになるので、これが水中で暴れ動くとなれば、その振動負荷は大きく、釣竿にまでそのショックは大きく伝わる。そこでルアーを直接取り付ける天秤に、ショックアブソーバの働きを担うバネを設けて、この振動を受けとめて、吸収することがベストであった。以下、図１および図２を参考にして、最良の形態を説明する。ルアー（６）を取り付ける、天秤本体（７）の天秤軸（１）に、ルアー掛止具（２）を挿入して設ける。つぎに該軸両端よりビーズ（３）を、上下から挿入して、該掛止具を上下で挟んで設ける。つぎにＳＵＳクッションバネ（４）を固定した、バネストッパー（５）を、該軸両端より挿入して、該軸に固定して装着する。この状態は図１に示すごとく、ルアー（６）を装着した、ルアー掛止具（２）は上下に動き、これに接触する上下のビーズ（３）も容易に動くことが確認できる。そうしてビーズ（３）の、この動きはＳＵＳクッションバネ（４）に衝突するように動き、これを該バネは、ショックアブソーバの働きで、その衝撃を吸収するのである。
本発明は以上のような構成であり、これを使用実施するときには、【０００７】  図２のごとく、天秤（７）のルアー掛止具（２）にルアー（６）を装着して、釣りをする。ルアーでの釣りは、しゃくりを繰り返すので、その度にルアーは大きく暴れるが、天秤（７）のＳＵＳクッションバネ（４）の衝撃吸収効果が大きく、ルアーの暴れ方が非常に滑らかになり、釣竿にも衝撃振動は無く、すばらしいルアー釣りが普通にできる。
【図面の簡単な説明】
【０００８】
【図１】    本発明の構成斜視図である。
【図２】    本発明の実施図である。
【符号の説明】
【０００９】        １  天秤軸
２  ルアー掛止具
３  ビーズ
４  ＳＵＳクッションバネ
５  バネストッパー
６  ルアー
７  天秤
８  固定
【図１】
2009171937.tif 000003
【図２】
2009171937.tif 000004
(57)【要約】【課題】      ブレずに安定して飛行すると共に安定した姿勢で着水出来る釣り用浮きを提供することである。【解決手段】  釣り用浮きは筒状の上部胴体１と筒状の下部胴体２が一体に取り付けられて中心に細い中空の筒部３が取り付けられて上部胴体１の胴部１ａの中は中空部１ｂに成形されると共に上部胴体１の胴部１ａの外側に３個の羽根１ｃが成形されて羽根１ｃの中も中空部１ｄに形成されて中空部１ｄと中空部１ｂと連接されている。  羽根１ｃの形状は横断面が三角形状で上部胴体１の胴部１ａとの接合部が幅広く形成されている。  中空部１ｂと中空部１ｄの中にはポリウレタンなどの合成樹脂発泡材からなる浮力材４が充填され、羽根１ｃの中の中空部１ｄには浮力材４を充填しなくともよい。【選択図】        図３
2009171905.tif 000002
【特許請求の範囲】
【請求項１】
外側に羽根を有する釣り用浮きにおいて、前記羽根の内側に中空部を設けたことを特徴とする釣り用浮き。
【請求項２】
前記羽根の内側の中空部に合成樹脂発泡材を充填したことを特徴とする請求項１に記載の釣り用浮き。
【発明の詳細な説明】
【技術分野】
【０００１】
本発明は、羽根の内側に中空部を設けた釣り用浮きに関する。
【背景技術】
【０００２】
従来釣り用浮きに特許文献１のように、筒状の胴部の外側に羽根を設けた浮きがあるが、羽根が薄く弱い板状の材料で作られているため、投擲の飛行中にブレに対して支える力が弱いのでブレ易く、着水した時に姿勢が不安定になる。
【特許文献１】実開平４−４８９７９号公報
【発明の開示】
【発明が解決しようとする課題】
【０００３】
解決しようとする問題点は、羽根が薄く弱い板状の材料で作られているため、投擲の飛行中にブレに対して支える力が弱いのでブレ易く、着水した時に姿勢が不安定になることである。
【０００４】
本発明の目的は前記欠点に鑑み、ブレずに安定して飛行すると共に安定した姿勢で着水出来る釣り用浮きを提供することである。
【課題を解決するための手段】
【０００５】
本発明の請求項１は、外側に羽根を有する釣り用浮きにおいて、前記羽根の内側に中空部を設けたことを要旨とするものである。
請求項２は、前記羽根の内側の中空部に合成樹脂発泡材を充填したことを要旨とするものである。
【発明の効果】
【０００６】
本発明により、羽根の形状が横断面が三角形状で上部胴体との接合部が幅広く形成されているので、飛行中のブレに対して支える力が強くブレ難くなると共に飛行距離も伸びることになる。
着水した時に内側に中空部を設けた羽根が胴体の外側に突びだしているので、姿勢が安定して浮くことになる。
【発明を実施するための最良の形態】
【０００７】
釣り用浮きは胴部Ｄが中空状に形成され、この胴部Ｄは、筒状の上部胴体１と筒状の下部胴体２が一体に取り付けられて中心に中空の筒部３が形成されている。
上部胴体１の胴部１ａの中は中空部１ｂに成形されると共に上部胴体１の胴部１ａの外側に３個の羽根１ｃが成形されて羽根１ｃの中も中空部１ｄに形成されて中空部１ｄと中空部１ｂと連接されている。
羽根１ｃの形状は横断面が三角形状で上部胴体１の胴部１ａとの接合部が幅広く形成されている。
中空部１ｂと中空部１ｄの中にはポリウレタンなどの合成樹脂発泡材からなる浮力材４が充填されている。
羽根１ｃの中の中空部１ｄには浮力材４を充填しなくともよい。
【実施例１】
【０００８】
以下、図示の実施例によって本発明を説明すると、図１から図４は第１実施例で、図１は釣り用浮きの一側側面図、図２は釣り用浮きの他側側面図、図３は釣り用浮きの横断面平面図、図４は図３のＦ４−Ｆ４断面線の断面側面図である。
【０００９】
釣り用浮きは胴部Ｄが中空状に形成され、この胴部Ｄは筒状の上部胴体１と筒状の下部胴体２が一体に取り付けられて中心に中空の筒部３が形成されている。
上部胴体１と下部胴体２と中空の筒部３はポリカ−ボネトなどの合成樹脂で形成されている。
上部胴体１の胴部１ａの中は中空部１ｂに成形されると共に上部胴体１の胴部１ａの外側に３個の羽根１ｃが成形されて羽根１ｃの中も中空部１ｄに形成されて中空部１ｄと中空部１ｂと連接されている。
羽根１ｃの形状は横断面が三角形状で上部胴体１との接合部が幅広く形成されている。
中空部１ｂと中空部１ｄの中にはポリウレタンなどの合成樹脂発泡材からなる浮力材４が充填されている。
羽根１ｃの中の中空部１ｄには浮力材４を充填しなくともよい。
上部胴体１の中の上部には細い中空の筒部３を保持する保持部１ｅが内側に突出されて中心に透孔１ｆが穿設されている。
下部胴体２の胴部２ａの中は中空部２ａに成形されると共に中空部２ａの中に重り５が収容されている。
下部胴体２の胴部２ａの中下側には細い中空の筒部３が嵌合される透孔２ｂが穿設されている。
細い中空の筒部３の中には図示しない釣糸が通される。
【００１０】
釣り用浮きが前記のように形成されて投擲されると、上部胴体１の胴部１ａの外側に一体に３個の羽根１ｃが成形され、かつ羽根１ｃの形状は横断面が三角形状で上部胴体１の胴部１ａとの接合部が幅広く形成されているので、飛行中のブレに対して支える力が強くブレ難くなる。
着水した時に長手方向に伸びた羽根１ｃが胴体１の胴部１ａの外側に突びだしているので、姿勢が安定して着水して餌がブレずに沈むことになる。
【００１１】
前記のように釣り用浮きが構成されると、羽根１ｃの形状が横断面が三角形状で上部胴体１の胴部１ａとの接合部が幅広く形成されているので、飛行中のブレに対して支える力が強くブレ難くなると共に飛行距離も伸びることになる。
着水した時に内側に中空部を設けた羽根１ｃが胴体１の胴部１ａの外側に突びだしているので、姿勢が安定して浮くことになり、しかも羽根１ｃ内の中空部１ｄに合成樹脂発泡材が充填されているため羽根１ｃの強度が向上し、破損が防止されている。
【実施例２】
【００１２】
図５は第２実施例で、図５は釣り用浮きの横断面平面図である。
【００１３】
第２実施例では胴部Ｄの中空部１ｂと羽根１ｃの中空部１ｄ間に仕切り壁１ｇを設けてそれぞれの中空部に合成樹脂発泡材の浮力材４が充填されている。
このように形成するとより胴部Ｄと羽根１ｃの強度が向上する。
【産業上の利用可能性】
【００１４】
前記説明では、釣り用浮きの全般に利用できる。
【図面の簡単な説明】
【００１５】
【図１】第１実施例で、釣り用浮きの一側側面図である。
【図２】同釣り用浮きの他側側面図である。
【図３】同釣り用浮きの横断面平面図である。
【図４】同図３のＦ４−Ｆ４断面線の断面側面図である。
【図５】第２実施例で、釣り用浮きの横断面平面図である。
【符号の説明】
【００１６】
１ｃ  羽根
１ｄ  中空部
【図１】
2009171905.tif 000003
【図２】
2009171905.tif 000004
【図３】
2009171905.tif 000005
【図４】
2009171905.tif 000006
【図５】
2009171905.tif 000007
(57)【要約】【課題】  従来の柑橘類を果肉だけにした食品は、代表的な物として「みかん缶詰」しかなかった。この食品は長期保存の為に、高熱を加えて殺菌してあるので、ビタミン類等の栄養素が壊れてしまっている。なおかつ甘みを重点に置く為にシラップ漬にしているので、本来のみかんの自然な味を味わうことが出来なかった。【解決手段】・  柑橘類にある、ビタミン類やその他の栄養素が、壊れずにそのままの状態を維持する為に、高熱を加えずに柑橘類の果皮（１）皮（２）隔壁（３）袋（４）種子（５）を取り除いてカップ又は袋等の容器（７）に入れて食べ易くした。・  長期保存又は年中を通して柑橘類を食べられるように、冷凍にした。【選択図】  図３
2009171910.tif 000002
【特許請求の範囲】
【請求項１】
柑橘類の果皮（１）皮（２）隔壁（３）袋（４）種子（５）を取り除いた果肉（６）だけをカップ又は袋等の容器（８）に入れた柑橘食品。
【請求項２】
（請求項１）記載の柑橘食品を冷凍した事を特徴とする柑橘食品。
【発明の詳細な説明】
【技術分野】
【０００１】
この発明は柑橘類の果皮・皮・隔壁・種子・袋等を取り除いて果肉だけにして、容器又は袋等に入れて食べ易くした柑橘食品である。
【背景技術】
【０００２】
長期保存を兼ねた缶詰等の熱加工をしたシラップ漬の柑橘食品しかなかった。
【発明の開示】
【発明が解決しようとする課題】
【０００３】
これには次のような欠点があった。
（イ）高熱加工をすることによって、ビタミン等の栄養素が壊れてしまっている。
（ロ）シラップ漬にしている為、本来の柑橘類の味が全く得られない。
【課題を解決するための手段】
【０００４】
（イ）高熱による加工を施さない。
（ロ）シラップ等の一切の調味料を使用しない。
（ハ）長期保存又は、夏期に適した食感を得る為に容器に入れた果肉を冷凍にした。
【発明の効果】
【０００５】
本発明は以上のような加工によって自然の味の柑橘類の果肉だけを一年中食べることができる。特にお年寄や、身体障害者の方達や小さな子供達は柑橘の種類によっては果肉だけを取り出すことは、手が果汁によってベトベトになったり、したたり落ちたり、時間がかかったり等の大変な手間の苦労がいるが、この発明は容易に快適に食することができる。
【０００６】
本発明で食する果肉（６）だけの柑橘類は自然そのものの味を得ることができる。又冷凍することによって長期間の保存が出来て特に夏期の暑い時期には暑さを和らげる効果があると共に一年中柑橘類を手間いらずで味わうことができる。
【発明を実施するための最良の形態】
【０００７】
（イ）柑橘類の果皮（１）皮（２）隔壁（３）袋（４）種子（５）を取り除き果肉（６）だけを取り出して容器又は袋（８）に入れる。
（ロ）冷凍する場合は果肉（６）だけを入れた容器又は袋（８）ごと冷凍する。
【図面の簡単な説明】
【０００８】
【図１】本発明の断面図である
【図２】本発明の果肉の正面図である。
【図３】本発明の果肉だけを容器又は袋に入れた正面図である。
【符号の説明】
【０００９】
（１）  果皮
（２）  皮
（３）  隔壁
（４）  袋
（５）  種子
（６）  果肉
（７）  容器又は袋
【図１】
2009171910.tif 000003
【図２】
2009171910.tif 000004
【図３】
2009171910.tif 000005
(57)【要約】【課題】立ったままで、把手を持って枠（紙袋付）の部分が、犬のおしりの部分にあてがうと、簡単に便を取る事が出来る器具であり、犬の大、小等により枠の大きさ形を取り替える。【解決手段】把手Ｉの先に２枠を取り付けその下に３紙袋を装着するものである。【選択図】図−２
2009171945.tif 000002
【特許請求の範囲】
【請求項１】
犬の大便受け器
【発明の詳細な説明】
【技術分野】
【０００１】この発明は把手の先に取り付けた枠に、紙袋を取り付けて犬の大便を受けて取るものである
【背景技術】
【発明の開示】
【発明が解決しようとする課題】
【０００２】現在ほとんどの人が犬が道路や草むらに大便をしたものをしゃがんで紙で拾い取っている【０００３】これは次のような問題点があった
いちいちしゃがんで取らないと処置が出来ない
地面にした大便は完全に取れない
雨の日などぬれながら作業をする．
【課題を解決するための手段】
【０００４】把手の先の枠に紙袋を付けている
以上の構成よりなる器具である
【発明の効果】
【０００５】把手の先に紙袋を付けてあるので立ったまま出来る．
紙袋は取り外して捨てられる．
【発明を実施するための最良の形態】
【０００６】以下本発明の実施例について説明する
把手（１）の先端に枠（２）をネジ切り止めする
（２）に簡単に取り外せるように紙袋を付ける
本発明は以上のような構造でこれを使用するときは把手を持って枠の部分が犬の大便の下にくるようにあてがえばよい
枠の大きさ形はかっている犬の大きさ等により変わる
【図面の簡単な説明】
【０００７】
【図１】本発明の平面図である
【図２】本発明の側面図である
【符号の説明】
【０００８】１  把手
２  枠
３  紙袋
【図−１】
2009171945.tif 000003
【図−２】
2009171945.tif 000004
(57)【要約】【課題】フリーズドライが出来、フリーズドライ可能なスープまたは一般の乾燥粉末スープとの混合も出来、熱湯で１分〜５分でもどり常温で保管出来、アルカリ水の保管はいらないこんにゃくの製造を可能にする、また湯洗しなくても湯もどしだけで簡単に生食で食べられるこんにゃくの製造を可能にする。【解決手段】原料であるグルコマンナン又はこんにゃく粉に対し、でんぷん・くず粉・増粘多糖類・寒天を１００％から２０００％、水酸化カルシウムを０．００１％から１００％で混合する事により、通常のこんにゃく製造の過程、通常の乾燥くずきり・乾燥はるさめ、フリーズドライこんにゃく、または全ての乾燥こんにゃくの製造過程においても利用が出来、フリーズドライ可能なスープまたは一般乾燥粉末スープとの混合も出来るフリーズドライインスタント食品の製造が可能となり解決となる。【選択図】なし【特許請求の範囲】
【請求項１】
こんにゃく粉、グルコマンナン又はでん粉、くず粉、増粘多糖類、寒天、水酸化カルシウムが使用原料として混合したことを特徴とするフリーズドライ用こんにゃくと、各種フリーズドライ可能なスープとを混合しフリーズドライをかけたことを特徴とする、フリーズドライインスタント食品の製造方法。
【請求項２】
原料であるこんにゃく粉又はグルコマンナンに対してのでん粉、くず粉、寒天、増粘多糖類の混合比率は、グルコマンナン又はこんにゃく粉１ｋｇに対し、使用原料の１００％から２０００％であることを特徴とする特許請求の範囲１項に記載のフリーズドライインスタント食品の製造方法。
【請求項３】
原料であるこんにゃく粉又はグルコマンナンに対してのでん粉、くず粉・増粘多糖類・寒天・水酸化カルシウムの混合比率は０．００１％から１００％である事を特徴とする特許請求の範囲１項に記載のフリーズドライインスタント食品の製造方法。
【請求項４】
通常の技術で一般のこんにゃく・しらたきなど全種類のこんにゃくを製造する過程において、特許請求の範囲２項・３項にある原料の混合比率で製造をする事を特徴とする特許請求の範囲１項に記載のフリーズドライインスタント食品の製造方法。
【請求項５】
通常の技術で通常の乾燥くずきり、乾燥はるさめなど全種類の乾燥くずきり、乾燥はるさめを製造する過程、またフリーズドライや全種類の乾燥こんにゃくにおいて、特許請求の範囲２項・３項にある原料の混合比率て利用して、製造をする事を特徴とする特許請求の範囲１項に記載のフリーズドライインスタント食品の製造方法。
【発明の詳細な説明】
【技術分野】
【０００１】本発明は、フリーズドライ可能なこんにゃくとフリーズドライ可能なスープとの混合により、熱湯をかけると１分〜５分ですぐ食べれるインスタント食品を生産するための発明である。
【背景技術】
【０００２】従来のインスタントスープは、乾燥はるさめや、少量のこんにゃく粉が混合された乾燥はるさめとセットになったものはあるが、それに続くヒット商品は無かった。熱風乾燥によるこんにゃくとセットのものはあるが、熱湯をかけても麺のもどりが悪くまた、乾燥の時に加糖するためカロリーが高い食品となり大きなヒット商品にはならなかった。  そこで、期待されたのが麺のもどりがよく乾燥の時に加糖がいらないフリーズドライ用のこんにゃくとの組み合わせの商品であった。
【発明の開示】
【発明が解決しようとする課題】
【０００３】そこで、従来のこんにゃくはフリーズドライができないため、フリーズドライが出来、熱湯で１分〜５分でもどり、常温で保存出来、フリーズドライのスープとの組み合わせが出来るこんにゃくが消費者より広く要望があり長年の研究課題であった。
【課題を解決するための手段】
【０００４】そこで、本発明はこんにゃくの主原料であるこんにゃく粉にグルコマンナン又はでん粉・くず粉・増粘多糖類・寒天・水酸化カルシウムを混合する事により、この問題を解決する事とした。混合率・製造方法に関しては、特許請求項の１項，２項，３項，４項，５項に表示している通りである。
【発明の効果】
【０００５】従来のこんにゃくは、アルカリ水での保存しか出来なく、インスタント食品や加工食品には利用しずらい商品でした。フリーズドライが出来ることにより、運送でのコスト減少・保管もよくアルカリ水無いため前処理が不要、この発明により色々な商品での加工や使用用途が広がります。  また、乾燥くずきり・はるさめの製造やフリーズドライこんにゃく・全ての乾燥こんにゃくにも利用が出来ます。
【発明を実施するための最良の形態・実施例】
【０００６】本発明の製造は、いわゆる通常の技術で製造する蒟蒻メーカーの現状の設備で生産が可能になり、また、通常の技術で製造する乾燥くずきり・はるさめのメーカーでも生産が可能になります。また乾燥くずきり・はるさめそして、フリーズドライこんにゃく・全ての乾燥こんにゃくの製造にも使用出来ます。
【産業上の利用可能性】
【０００７】従来のこんにゃく生産は、フリーズドライに対応出来るこんにゃくの生産は出来ませんでした。この発明により、こんにゃくメーカーも通常の技術でフリーズドライ用のこんにゃくを生産出来る事となり、未利用設備を使用する事により新しい産業の発展につながります。また従来のくずきりやはるさめ専門メーカーもこの発明を利用する事により、従来の欠点であった湯もどしはできるが、熱風乾燥のため時間がかかり、二度炊きすると煮くずれがする・冷凍保存すると煮くずれがするなどの欠点が無くなり、一般のくずきりやはるさめの消費拡大につながるものと言えます。  またフリーズドライや全ての乾燥こんにゃくの生産そして、今までにないフリーズドライによるくずきりやはるさめの生産も出来ることになり新しい産業が生まれるものと考えます。
(57)【要約】【課題】木製架台に草花ネットを取り付けたガーデニング用具を提供する。【解決手段】木材の縦材、横材、補強板、Ｌ型金具を以って長方形の立枠を構成し、この立枠を下駄材付水平状の足材上の中心に垂直に立て、この立枠の前後に立枠前支柱、立枠後支柱、立枠両側支持板、Ｌ型金具等を使用してこの立枠を支持し、左右２本の立枠縦材に物干金具を架設したことを特徴とするガーデニング用具。【選択図】図１
2009171942.tif 000002
【特許請求の範囲】
【請求項１】
木材の縦材、横材、補強板、Ｌ型金具を以って長方形の立枠を構成し、この立枠を下駄材付水平状の足材上の中心に垂直に立て、この立枠の前後に立枠前支柱、立枠後支柱、立枠両側支持板、Ｌ型金具等を使用してこの立枠を支持し、左右２本の立枠縦材に物干金具を架設したことを特徴とするガーデニング用具。
【発明の詳細な説明】
【技術分野】
【０００１】  本発明は、マンションベランダより室内に入る直射日光の入射量を低減させる、ガーデニング用具に関するものである。
【発明の開示】
【発明が解決しようとする課題】
【０００２】  そのために、次のような問題点があった。
（イ）マンションベランダの天井近くまで、植物の蔓、草葉、花等を成長させる為の架台  が必要である。
（ロ）一年中ベランダに設置して置くので、台風等で容易に転倒したり破損しない物であ  ること。
本発明は以上の問題点を解決しようとするものである。
【課題を解決するための手段】
【０００３】  上記問題を解決するため本発明は、木材の縦材、横材、補強板、Ｌ型金具等を以って長方形の立枠を構成し、この立枠を下駄材付水平状の足材上の中心に垂直に立て、この立枠の前後に立枠前支柱、立枠後支柱、立枠両側支持板、Ｌ型金具等を使用してこの立枠を支持し、左右２本の立枠縦材に物干金具を架設した、ガーデニング用具である。
【発明の効果】
【０００４】  本発明は、プランターに繁茂力の大きい植物の苗種を植え、上から垂らした草花ネットに蔦等が絡みながら上に向って成長し、蔓、草葉、花によりマンション、ベランダにグリーンカーテンを形成する結果、太陽の直射を遮ることから室内温度が低下して省エネ効果と共に、植物による心の癒し効果があり、野菜、果実の収穫も可能である。
【発明を実施するための最良の形態】
【０００５】  以下、本発明の実施の形態について説明する。
（イ）木材の、縦材（１）縦材継手（２）横材（３）をもって長方形の立枠を作製する。
（ロ）木材の、縦材継手補強板（４）横材補強板（５）と、金属製Ｌ型金具（６）で立枠を補強する。
（ハ）木材の、下駄材（７）足材（８）で、水平な足部を作成する。
（ニ）水平足部の中心に、立枠を垂直に立てて立枠前支柱（９）立枠後支柱（１０）立枠両側支持板（１１）金属製Ｌ型金具（６）をもって。両者を堅固に固定して自立させる。
（ホ）立枠前支柱（９）立枠縦材（１）立枠後支柱（１０）は前後支柱補強板（１２）でこの３ケ所を固定して補強する。
（ヘ）立枠後支柱（１０）は、下駄材（７）足材（８）に後支柱補強板（１３）で固定して補強する。
（ト）足材（８）の上に、床板（１４）を張る。
（チ）金属製物干竿用金具（１５）を、左右両側縦材（１）の内側に固定する。
本発明は、以上の構成よりなっている。
本発明を使用とするときは、上記ガーデニング用具をマンションベランダに設置し、プランターに土を入れ、立枠前方の床板上（１４）に置いて蔦草、葉、花等の繁茂の大きい植物の苗種を植えて発芽してきたら、架台上部より下方に垂らした草花ネットに絡ませてネット上方に成長させ、グリーンカーテンを形成させる。
立枠後方の床板上（１４）に置いプランターには、観賞用草花、野菜等の苗種を栽培する、床板上（１４）の土入りプランターは、架台安定の重石の役目も兼ねている。
金属製物干竿用金具（１５）は竿を通して洗濯物の乾燥に使用するが、竿や洗濯物がベランダより建物外に落下しないようにするため、竿は金属製物干竿用金具（１５）に、しっかり縛る等の処置が必要である。
草花等が或程度成長すれば外部から洗濯物は見えにくくなる。
【図面の簡単な説明】
【０００６】
【図１】  本発明の斜視図
【図２】  本発明の一部を切り欠いた側面図
【符号の説明】
【０００７】    １    縦材
２    縦材継手材
３    横材
４    縦材継手補強板
５    横材補強板
６    金属製Ｌ型金具
７    下駄材
８    足材
９    立枠前支柱
１０  立枠後支柱
１１  立枠両側支持板
１２  前、後支柱補強板
１３  後支柱補強板
１４  床板
１５  金属製物干竿用金具
【図１】
2009171942.tif 000003
【図２】
2009171942.tif 000004
(57)【要約】【課題】テレビ画面を見ながら横寝をして、音声をステレオで鑑賞するヘッドホンを提供する。【解決手段】ヘッドホンの左右のイヤーホンを連結するアームをジョイントによりイヤーホンから脱着可能とし、通常のアームの他に自由な角度に曲がり、その状態を保持するフレキシブルチューブのアームに脱着交換することを特徴とするアーム交換式ステレオヘッドホン。【選択図】図１
2009171534.tif 000002
【特許請求の範囲】
【請求項１】
ヘッドホンの左右のイヤーホンを連結するアームをジョイントによりイヤーホンから脱着可能とした通常のアームの他に、自由な角度に曲がり、その状態を保持するフレキシブルチューブのアームと脱着交換を可能としたことを特徴とするアーム交換式ステレオヘッドホン。
【発明の詳細な説明】
【技術分野】
【０００１】  本発明は、テレビ等の音声をステレオで鑑賞するとき、スピーカーを使わないでイヤーホンで聴取するアーム交換式ステレオヘッドホンに関するものである。
【背景技術】
【０００２】  従来、ステレオ用イヤーホンは、耳を覆う形状の左右用のイヤーホンを可撓性アームで連結し頭部に被せて使用するいわゆるヘッドホンと左右用の小型イヤーホンを連結せずに別々に両耳に入れるインナー方式のイヤーホンがある。
【発明の開示】
【発明が解決しようとする課題】
【０００３】  そのために、次のような問題点があった。
（イ）テレビ画面を見ながら横寝をして、音声をステレオで鑑賞しようとヘッドホンを頭部に装着すると枕側の耳が痛くなり使用できない。
（ロ）また、耳に入れるタイプのイヤーホンを両耳に装着するを、枕で押さえつけられた方の耳に異物感があって、やがて痛くなり、快適には使用できない。
本発明は以上の問題点を解決しようとするものである。
【課題を解決するための手段】
【０００４】  ヘッドホンの左右のイヤーホンを連結するアームをジョイントによりイヤーホンから脱着可能とする。横寝してステレオを聞くときは、通常のアームを自由な角度に曲がり、その状態を保持するフレキシブルチューブのアームに脱着交換することを可能にしたことを特徴とするアーム交換式ステレオヘッドホンである。
【発明の効果】
【０００５】  テレビ画面を見ながら横寝をして、音声をステレオで鑑賞したいとき、本発明のフレキシブルチューブのアームを左右のイヤーホンに装着し、片方のイヤーホンを枕の下に挟み固定し、もう一方のイヤーホンを頭部空間耳上の好みの位置に保持することができる。
これにより、耳に何の異物感も苦痛も与えることなく音声が両耳に届き、えも言われぬ情感のステレオ音声を聴きながら、画面を見ることができる。
【発明を実施するための最良の形態】
【０００６】  以下、本発明の実施の形態について説明する。
（イ）イヤーホン右耳用（１）およびイヤーホン左耳用（２）に夫々アーム（３）を装着するための脱着部ジョイント（４）を設ける。
（ロ）通常のヘッドホン用のアーム（３）の他に自由な角度に曲がり、その状態を保持するフレキシブルチューブ製のアーム（３）を用意し、それぞれのアーム（３）両先端にイヤーホンの脱着部ジョイント（４）と嵌合するジョイント（５）を設ける。
本発明は以上のような構造で、これを使用するときは、通常のヘッドホンとして使用する場合は、通常のアーム（３）をイヤーホン（１）（２）に装着し使用する。横寝をして使用する場合は、フレキシブルチューブ製のアーム（３）をイヤーホン（１）（２）に装着し使用する。
横寝で顔を左に向けたときは、イヤーホン左耳用（２）を枕（６）の下側に置き頭部をのせ、フレキシブルチューブ製のアーム（３）を固定する。イヤーホン右耳用（１）はフレキシブルチューブ製のアーム（３）を調節して耳に接触させずに、空間の好みの位置に保持する。
左右用のイヤーホン（１）（２）にコード（７）等でステレオ音声を送信することにより左音声は枕（６）を通して密着した左耳に、右音声は空間を通して右耳に届けられ、ステレオ音声が鑑賞される。
【図面の簡単な説明】
【０００７】
【図１】本発明の斜視図
【図２】本発明の使用例を示す斜視図
【符号の説明】
【０００８】１  イヤーホン右耳用
２  イヤーホン左耳用
３  アーム
４  脱着部ジョイント
５  嵌合するジョイント
６  枕
７  コード
【図１】
2009171534.tif 000003
【図２】
2009171534.tif 000004